(57)【要約】【課題】複数の入力端子に入力される観測対象信号のいずれに対しても信号入力端子に対するケーブル入れ換え作業をすることなく、トリガ同期を掛けることができ、さらに低コストで小型に構成できるようにする。【解決手段】等価時間サンプリング方式を採用した波形観測装置において、複数の信号入力端子２１Ａ、２１Ｂに入力された観測対象信号Ｓｘａ、Ｓｘｂのいずれかを信号選択部２３で任意に選択し、その選択された観測対象信号をトリガ信号発生部な３０に与えて、観測波形の取得開始タイミングを決定するトリガ信号ＴＲＧを発生させ、これをサンプリング信号発生部３５に入力して、トリガ信号ＴＲＧに同期したサンプリング信号Ｃｓを各サンプリング部２２Ａ、２２Ｂに共通に与えて各観測対象信号Ｓｘａ、Ｓｘｂに対するサンプリングを同時に開始するようにしている。【選択図】図１
2011112526.tif 000002
【特許請求の範囲】
【請求項１】
複数の信号入力端子（２１Ａ、２１Ｂ）と、
前記複数の信号入力端子から入力された観測対象信号のいずれかを選択する信号選択部（２３）と、
前記信号選択部によって選択された観測対象信号からそのクロック成分を抽出し、そのクロック成分に同期したトリガ信号を発生するトリガ信号発生部（３０）と、
前記観測対象信号の波形繰り返し周期の整数倍に対して所定の分解能時間だけ差のある周期のサンプリング信号を、前記トリガ信号を受けたタイミングから発生するサンプリング信号発生部（３５）と、
前記複数の信号入力端子から入力された観測対象信号を、前記サンプリング信号発生部から出力されたサンプリング信号を受ける毎にサンプリングしてデジタルの信号列にそれぞれ変換して出力する複数のサンプリング部（２２Ａ、２２Ｂ）と、
波形表示用の表示器（４５）と、
前記複数のサンプリング部から出力されたデジタルの信号列に基づいて、前記複数の信号入力端子に入力された観測対象信号の波形を前記表示器に表示させる表示処理部（４０）とを備えた波形観測装置。
【請求項２】
操作部（２４）を有し、
前記信号選択部が、前記操作部に対する操作によって、複数の信号入力端子に入力された観測対象信号の任意のものを選択できることを特徴とする請求項１記載の波形観測装置。
【請求項３】
前記複数の信号入力端子から入力された観測対象信号の周波数を測定する周波数測定部（５０）を有し、
前記信号選択部が、前記周波数測定部の測定結果を受け、前記複数の信号入力端子から入力された観測対象信号の周波数が低いものを優先的に選択することを特徴とする請求項１記載の波形観測装置。
【請求項４】
前記複数の信号入力端子から入力された観測対象信号の誤り率を測定する誤り率測定部（６０）を有し、
前記信号選択部が、前記誤り率測定部の測定結果を受け、前記複数の信号入力端子から入力された観測対象信号の誤り率が低いものを優先的に選択することを特徴とする請求項１記載の波形観測装置。
【請求項５】
複数の信号入力端子（２１Ａ、２１Ｂ）から入力された観測対象信号のいずれかを選択する段階と、
該選択した観測対象信号からそのクロック成分を抽出し、そのクロック成分に同期したトリガ信号を発生する段階と、
前記観測対象信号の波形繰り返し周期の整数倍に対して所定の分解能時間だけ差のある周期のサンプリング信号を、前記トリガ信号を受けたタイミングから発生する段階と、
前記複数の信号入力端子から入力された観測対象信号を、前記サンプリング信号を受ける毎にサンプリングしてデジタルの信号列にそれぞれ変換して出力する段階と、
前記サンプリングされたデジタルの信号列に基づいて、前記複数の信号入力端子に入力された観測対象信号の波形を表示させる段階とを含む波形観測方法。
【請求項６】
操作部に対する操作によって、前記複数の信号入力端子に入力された観測対象信号の任意のものを前記トリガ信号発生のために用いる観測対象信号として選択できるようにしたことを特徴とする請求項５記載の波形観測方法。
【請求項７】
前記複数の信号入力端子から入力された観測対象信号の周波数を測定する段階を含み、
前記複数の信号入力端子から入力された観測対象信号のうち周波数が低いものを前記トリガ信号発生のために用いる観測対象信号として優先的に選択することを特徴とする請求項５記載の波形観測方法。
【請求項８】
前記複数の信号入力端子から入力された観測対象信号の誤り率を測定する段階を含み、
前記複数の信号入力端子から入力された観測対象信号のうち誤り率が低いものを前記トリガ信号発生のために用いる観測対象信号として優先的に選択することを特徴とする請求項５記載の波形観測方法。
【発明の詳細な説明】
【技術分野】
【０００１】
本発明は、データ信号やクロック信号等のような繰り返し信号の波形を観測するための技術に関する。
【背景技術】
【０００２】
高速のデータ信号の波形観測を行う装置として、従来から等価時間サンプリング方式を採用したものが知られている。
【０００３】
等価サンプリング方式は、サンプリング部に入力される信号のクロック周期Ｔｃの整数Ｎ倍に対して、そのクロック周期より十分小さい所定の分解能時間ΔＴだけ差のある周期Ｔｓ（＝Ｎ・Ｋ＋ΔＴまたはＮ・Ｋ−ΔＴ）のサンプリング信号を与え、入力信号の波形の情報をΔＴの時間分解能で取得して、その波形を再生する方式であり、サンプリング部の速度より格段に高速の信号の波形を観測することができる。
【０００４】
このような等価時間サンプリング方式を採用した波形観測装置は、例えば次の特許文献１に開示されている。
【先行技術文献】
【特許文献】
【０００５】
【特許文献１】特開２００２−７１７２４号公報
【発明の概要】
【発明が解決しようとする課題】
【０００６】
上記した等価時間サンプリング方式を用いた波形観測装置では、一連の波形情報を取得するタイミングを、その入力信号に同期したタイミングに設定しないと波形情報を正しく取得することができない。
【０００７】
その方法として、図５に示す構成のものが考えられる。
即ち、信号入力端子１０ａからサンプリング部１１に入力される観測対象信号Ｓｘをトリガ信号発生部１２に入力して、そのクロック成分Ｃｘを再生し、その再生したクロック成分Ｃｘの立ち上がりや立ち下がりに同期したトリガ信号ＴＲＧをサンプリング信号発生部１３に与える。
【０００８】
そして、サンプリング信号発生部１３から、観測対象信号Ｓｘの波形繰り返し周期の整数倍の周期に所定の分解能時間ΔＴだけ差のある周期のサンプリング信号Ｃｓを、そのトリガ信号ＴＲＧの立ち上がりや立ち下がりのタイミングからサンプリング部１１に出力させて、一連の波形の再生に必要なデータを取得する。
【０００９】
そして、以後、トリガ信号ＴＲＧに同期したタイミングからサンプリングを開始させ、一連の波形データを取得するという処理を繰り返し、得られた複数組の波形データの平均化処理等を行って観測対象信号の波形を求めて表示させる。
【００１０】
ところが、近年上記のような等価時間サンプリング方式の波形観測装置において、複数の信号の波形を同じ測定系で同時に観測したいという要求があり、これに対しては、上記信号入力端子１０ａとサンプリング部１１を複数組内蔵させることで対応可能である。
【００１１】
しかし、この場合、各信号入力端子から入力された信号のうち、同期を掛けたい信号をトリガ信号発生部１２に接続されている信号入力端子へ入力する必要があり、別の信号で同期を掛けたい場合には、信号入力端子に対する信号ケーブルの入れ換え作業が必要となり、極めて不便であった。
【００１２】
さらに、信号入力端子毎にトリガ信号発生部を設けると、回路規模が増大し、装置が大型化するとともにコスト高になる。
【００１３】
本発明は、これらの問題を解決し、複数の入力端子に入力される観測対象信号のいずれに対しても信号入力端子に対するケーブル入れ換え作業をすることなく、トリガ同期を掛けることができ、さらに低コストで小型に構成できる波形観測装置および波形観測方法を提供することを目的としている。
【課題を解決するための手段】
【００１４】
前記目的を達成するために、本発明の請求項１の波形観測装置は、
複数の信号入力端子（２１Ａ、２１Ｂ）と、
前記複数の信号入力端子から入力された観測対象信号のいずれかを選択する信号選択部（２３）と、
前記信号選択部によって選択された観測対象信号からそのクロック成分を抽出し、そのクロック成分に同期したトリガ信号を発生するトリガ信号発生部（３０）と、
前記観測対象信号の波形繰り返し周期の整数倍に対して所定の分解能時間だけ差のある周期のサンプリング信号を、前記トリガ信号を受けたタイミングから発生するサンプリング信号発生部（３５）と、
前記複数の信号入力端子から入力された観測対象信号を、前記サンプリング信号発生部から出力されたサンプリング信号を受ける毎にサンプリングしてデジタルの信号列にそれぞれ変換して出力する複数のサンプリング部（２２Ａ、２２Ｂ）と、
波形表示用の表示器（４５）と、
前記複数のサンプリング部から出力されたデジタルの信号列に基づいて、前記複数の信号入力端子に入力された観測対象信号の波形を前記表示器に表示させる表示処理部（４０）とを備えている。
【００１５】
また、本発明の請求項２の波形観測装置は、請求項１記載の波形観測装置において、
操作部（２４）を有し、
前記信号選択部が、前記操作部に対する操作によって、複数の信号入力端子に入力された観測対象信号の任意のものを選択できることを特徴としている。
【００１６】
また、本発明の請求項３の波形観測装置は、請求項１記載の波形観測装置において、
前記複数の信号入力端子から入力された観測対象信号の周波数を測定する周波数測定部（５０）を有し、
前記信号選択部が、前記周波数測定部の測定結果を受け、前記複数の信号入力端子から入力された観測対象信号の周波数が低いものを優先的に選択することを特徴としている。
【００１７】
また、本発明の請求項４の波形観測装置は、請求項１記載の波形観測装置において、
前記複数の信号入力端子から入力された観測対象信号の誤り率を測定する誤り率測定部（６０）を有し、
前記信号選択部が、前記誤り率測定部の測定結果を受け、前記複数の信号入力端子から入力された観測対象信号の誤り率が低いものを優先的に選択することを特徴としている。
【００１８】
また、本発明の請求項５の波形観測方法は、
複数の信号入力端子（２１Ａ、２１Ｂ）から入力された観測対象信号のいずれかを選択する段階と、
該選択した観測対象信号からそのクロック成分を抽出し、そのクロック成分に同期したトリガ信号を発生する段階と、
前記観測対象信号の波形繰り返し周期の整数倍に対して所定の分解能時間だけ差のある周期のサンプリング信号を、前記トリガ信号を受けたタイミングから発生する段階と、
前記複数の信号入力端子から入力された観測対象信号を、前記サンプリング信号を受ける毎にサンプリングしてデジタルの信号列にそれぞれ変換して出力する段階と、
前記サンプリングされたデジタルの信号列に基づいて、前記複数の信号入力端子に入力された観測対象信号の波形を表示させる段階とを含んでいる。
【００１９】
また、本発明の請求項６の波形観測方法は、請求項５記載の波形観測方法において、
操作部に対する操作によって、前記複数の信号入力端子に入力された観測対象信号の任意のものを前記トリガ信号発生のために用いる観測対象信号として選択できるようにしたことを特徴としている。
【００２０】
また、本発明の請求項７の波形観測方法は、請求項５記載の波形観測方法において、
前記複数の信号入力端子から入力された観測対象信号の周波数を測定する段階を含み、
前記複数の信号入力端子から入力された観測対象信号のうち周波数が低いものを前記トリガ信号発生のために用いる観測対象信号として優先的に選択することを特徴としている。
【００２１】
また、本発明の請求項８の波形観測方法は、請求項５記載の波形観測方法において、
前記複数の信号入力端子から入力された観測対象信号の誤り率を測定する段階を含み、
前記複数の信号入力端子から入力された観測対象信号のうち誤り率が低いものを前記トリガ信号発生のために用いる観測対象信号として優先的に選択することを特徴としている。
【発明の効果】
【００２２】
このように、本発明の波形観測装置および方法は、等価時間サンプリング方式を採用したものにおいて、複数の信号入力端子に入力された観測対象信号のいずれかを任意に選択し、その観測対象信号に基づいてトリガ信号を発生させ、そのトリガ信号に同期したタイミングで各観測対象信号に対するサンプリングを開始するようにしたため、複数の入力端子に入力される観測対象信号のいずれに対しても信号入力端子に対する信号ケーブルの入れ換え作業をすることなくトリガ同期を掛けることができ、信号観測を容易に行える。また、信号入力端子毎にトリガ信号発生部を設ける必要もないので、低コストで小型に構成できる。
【００２３】
また、操作部に対する操作によって、複数の信号入力端子に入力された観測対象信号の任意のものを選択できるものでは、観測者が所望の信号にトリガ同期をかけることができる。
【００２４】
また、複数の信号入力端子から入力された観測対象信号の周波数が低いものを優先的に選択するようにしたものでは、例えばクロック信号とそのクロック信号に同期したデータ信号が入力された場合に、周波数の低いデータ信号を優先して選択するので、その低い周波数の信号を含む全ての波形を確実に表示させることができる。
【００２５】
また、複数の信号入力端子から入力された観測対象信号の誤り率が低いものを優先的に選択するようにしたものでは、品質のよい信号から安定したトリガ信号を生成することができ、正確な波形観測が行える。
【図面の簡単な説明】
【００２６】
【図１】本発明の実施形態の構成図
【図２】実施形態の動作を説明するためのタイミング図
【図３】表示波形の一例を示す図
【図４】本発明の別の実施形態の構成図
【図５】トリガ機能を有する波形観測装置の構成図
【発明を実施するための形態】
【００２７】
（第１の実施形態）
以下、図面に基づいて本発明の第１の実施形態を説明する。
図１は、本発明を適用した波形観測装置２０の構成を示している。
【００２８】
この波形観測装置２０は、観測対象信号Ｓｘａ、Ｓｘｂを入力するための複数（この例では２つとするが３つ以上であってもよい）の信号入力端子２１Ａ、２１Ｂを有している。
【００２９】
ここで、観測対象信号Ｓｘａ、Ｓｘｂは電気信号とし、例えば差動形式で互いに反転したデータ信号、マルチプレクサの出力信号、テスト回路への入力信号とその出力信号、データ出力機器からのデータ信号とクロック信号等であり、いずれも互いに同期しているものとする。
【００３０】
信号入力端子２１Ａ、２１Ｂに入力された観測対象信号Ｓｘａ、Ｓｘｂは、それぞれサンプリング部２２Ａ、２２Ｂに入力されるとともに、信号選択部２３に入力され、そのいずれか一方が選択される。
【００３１】
サンプリング部２２Ａ、２２Ｂは、観測対象信号Ｓｘａ、Ｓｘｂが電気信号の場合にはＡ／Ｄ変換器で構成することができる。また、観測対象信号Ｓｘａ、Ｓｘｂが光信号の場合、その光信号を光電変換器（受光器）で受けて電気信号に変換し、これをＡ／Ｄ変換器でサンプリングする構成することもできる。
【００３２】
また、観測対象信号Ｓｘａ、Ｓｘｂが光信号の場合には、前記特許文献１に記載されているように、光信号を光変調器光に入射して光サンプリングを行い、そのサンプリングで得られた光を光電変換器で受けて電気信号に変換し、これをＡ／Ｄ変換器によってデジタル信号列に変換する構成であってもよい。
【００３３】
ここで、信号選択部２３は、多数のキーやスイッチからなる操作部２４に対する操作によってユーザが任意に信号選択する。信号選択部２３によって選択された観測対象信号はトリガ信号発生部３０に入力される。
【００３４】
トリガ信号発生部３０は、入力された観測対象信号からそのクロック成分を再生し、そのクロック成分の立ち上がりまたは立ち下がりに同期したトリガ信号ＴＲＧを発生する。
【００３５】
ここで、トリガ信号ＴＲＧは、等価時間サンプリングによって一連の波形データを取得するときのサンプリング開始タイミングを決定するものであり、その周期Ｔｔｒｇは、サンプリング周期Ｔｓで所望数の波形データを取得するのに必要な時間より長く設定され、且つ、波形の繰り返し周期の整数倍に等しいものとする。
【００３６】
例えば、観測対象信号の波形の繰り返し周期Ｔａが１ｎＳ（周波数でいうと１ＧＨｚ）、サンプリング周期Ｔｓが１μＳ（＝１０００・Ｔａ）＋１ｐＳ（＝ΔＴ）とすれば、１０００回のサンプリングで、１ｎＳ長の一連の波形データを１ｐＳの分解能で得ることができ、それに要した時間１ｍＳ＋１ｎＳより長く１ｎＳの整数倍に等しくなるようにトリガ周期Ｔｔｒｇを設定すればよい。ただし、実際には再生されるクロック成分の位相揺らぎがあるので、所定回数のサンプリングに必要な時間経過後で繰り返し波形の整数倍に最も近いタイミングでクロック成分がレベル遷移するタイミングを次のトリガタイミングとする。
【００３７】
このトリガ信号ＴＲＧは、サンプリング信号発生部３５に入力される。サンプリング信号発生部３５は、観測対象信号の波形繰り返し周期Ｔａの整数Ｎ倍に対して所定の分解能時間ΔＴだけ差のある周期Ｔｓのサンプリング信号Ｃｓを、トリガ信号ＴＲＧを受けたタイミングから発生する。なお、サンプリング周期とトリガ周期は、操作部２４の操作によって設定可能となっている。
【００３８】
また、ここでは信号の周期を基準にして説明しているが、実際の回路では、ＰＬＬ回路やＤＤＳ回路を用い、周波数を基準にして、観測対象信号の波形繰り返し周波数Ｆａの整数Ｎ分の１に対して、所定の分解能時間ΔＴに対応した周波数差をもつサンプリング信号Ｃｓを発生する。
【００３９】
サンプリング信号Ｃｓは、複数のサンプリング部２２Ａ、２２Ｂに入力される。サンプリング部２２Ａ、２２Ｂは、信号入力端子２１Ａ、２１Ｂから入力された観測対象信号を、サンプリング信号Ｃｓを受ける毎にサンプリングしてデジタルの信号列Ｄａ、Ｄｂにそれぞれ変換して表示処理部４０に出力する。
【００４０】
表示処理部４０は、サンプリング部２２Ａ、２２Ｂから出力されたデジタルの信号列Ｄａ、Ｄｂをそのサンプリング順に図示しないメモリに記憶し、その記憶したデータに基づいて観測対象信号の波形を表示器４５に表示させる。
【００４１】
次に、上記構成の波形観測装置２０の動作について説明する。
２つの信号入力端子２１Ａ、２１Ｂに、例えば図２の（ａ）、（ｂ）のような互いに反転したデータ信号が観測対象信号Ｓｘａ、Ｓｘｂとして入力されるとする。
【００４２】
なお、ここでは説明を容易にするために、観測対象信号Ｓｘａ、Ｓｘｂの一方が「１０１１０」、他方が「０１００１」の５ビット信号の繰り返しで入力されるものとする。
【００４３】
また、観測対象信号Ｓｘａ、Ｓｘｂのビットレートは観測者にとって既知であり、そのビットレートと時間分解能に対応した周期Ｔｓのサンプリング信号Ｃｓがサンプリング信号発生部３５から出力されるように設定がなされる。また、前記したトリガ周期Ｔｔｒｇも前記した条件内で設定される。
【００４４】
ここで、観測者が操作部２４の操作により例えば信号入力端子２１Ａ側に入力された信号Ｓｘａを選択した場合、その信号Ｓｘａがトリガ信号発生部３０に入力されて、図２の（ｃ）のように、信号Ｓｘａに同期したクロック成分Ｃｘが再生され、そのクロック成分Ｃｘの例えば立ち上がりに同期したトリガ信号ＴＲＧが図２の（ｄ）のように出力される。
【００４５】
このトリガ信号ＴＲＧを受けたサンプリング信号発生部３５からは、図２の（ｅ）のようにトリガ信号ＴＲＧの立ち上がりタイミングから、周期Ｔｓのサンプリング信号Ｃｓがサンプリング部２２Ａ、２２Ｂに出力され、このサンプリング信号Ｃｓによって入力信号Ｓｘａ、Ｓｘｂに対するサンプリングが行われ、そのサンプリングによって得られたデータ信号列Ｄａ、Ｄｂが図２の（ｆ）、（ｇ）のように表示処理部４０へ出力される。
【００４６】
このサンプリングがデータ信号の繰り返し周期Ｔａを時間分解能ΔＴで除算した数分得られたとき、入力信号の５ビット長の繰り返し波形のデータが得られたことになり、これを図３のように、信号入力端子２１Ａ、２１Ｂ毎に時間軸上にプロットすることで、入力信号Ｓｘａ、Ｓｘｂの波形を表示することができる。
【００４７】
なお、表示処理部４０における実際の波形表示方法としては、上記したトリガ信号ＴＲＧに同期したタイミングからデータ取得を開始して５ビット分の波形データを得るという処理を、予め指定された平均化数分行い、その波形の平均化処理をすることで、ランダム雑音を抑圧した波形を得て、表示波形を順次更新する。
【００４８】
このようにして表示された波形を観測する際に、例えば被測定機器の異常により、トリガ信号を得ている方の入力信号に大きな雑音が含まれていたり、振幅が大幅に低下していると、その影響がトリガ信号のタイミングズレを生じさせ、予期した波形が観測されないことがある。
【００４９】
この場合、観測者は操作部２４の操作によってトリガ信号発生部３０へ入力する信号を切り換える。ここで、新たに入力した信号に異常がなければ、タイミングが安定したトリガ信号を生成することができ、それによって両方の入力信号の波形を正しく表示させることができ、上記した大きな雑音が含まれた波形や、振幅が大幅に低下した波形を観測でき、被測定機器の異常を認識できる。
【００５０】
このように、実施形態の波形観測装置２０では、操作部２４の操作により入力信号の任意のものをトリガ信号発生部３０へ入力させることができ、複数の信号入力端子がある場合であっても、その信号入力端子に対するケーブルなどの入れ換え操作を行うことなく、簡単にトリガ用の入力信号を変更できる。
【００５１】
なお、上記実施形態は本発明の波形観測装置に関するものであるが、上記実施形態と同等の信号処理を行う以下の波形観測方法も開示している。
【００５２】
即ち、上記実施形態の波形観測装置は、複数の信号入力端子２１Ａ、２１Ｂから入力された観測対象信号Ｓｘａ、Ｓｘｂのいずれかを選択する段階と、その選択した観測対象信号からそのクロック成分を抽出し、そのクロック成分に同期したトリガ信号ＴＲＧを発生する段階と、観測対象信号の波形繰り返し周期の整数倍に対して所定の分解能時間だけ差のある周期のサンプリング信号Ｃｓを、トリガ信号ＴＲＧを受けたタイミングから発生する段階と、複数の信号入力端子２１Ａ、２１Ｂから入力された観測対象信号Ｓｘａ、Ｓｘｂを、サンプリング信号Ｃｓを受ける毎にサンプリングしてデジタルの信号列にそれぞれ変換して出力する段階と、サンプリングされたデジタルの信号列に基づいて、複数の信号入力端子に入力された観測対象信号の波形を表示させる段階とを含む波形観測方法を実施している。
【００５３】
さらに言えば、上記実施形態は、観測対象信号Ｓｘａ、Ｓｘｂのいずれかを選択する処理の一例として、操作部２４の操作にしたがって選択処理を行うものである。
【００５４】
（第２の実施形態）
上記実施形態では、観測者が操作部２４の操作でトリガ信号発生部３０へ入力する信号を選択する場合の例を示したが、手動操作の他に、入力信号の周波数に応じた選択処理、あるいは誤り率に応じた選択処理を自動的に行うことも可能である。
【００５５】
図４は、手動選択モード、周波数選択モードおよび誤り率選択モードを有する実施形態の構成図である。
【００５６】
この実施形態では、前記した実施形態の構成に加えて、周波数測定部５０、誤り率測定部６０が設けられており、信号選択部２３は、操作部２４によって指定されたモードにより、前記した手動選択、周波数による選択、誤り率による選択のいずれかを行う。
【００５７】
周波数測定部５０は、各信号入力端子２１Ａ、２１Ｂに入力された観測対象信号Ｓｘａ、Ｓｘｂの周波数ｆａ、ｆｂを測定し、その結果を信号選択部２３に出力する。
【００５８】
また、誤り率測定部６０は、各信号入力端子２１Ａ、２１Ｂに入力された観測対象信号Ｓｘａ、Ｓｘｂの誤り率Ｅａ、Ｅｂを測定し、その結果を信号選択部２３に出力する。
【００５９】
そして、信号選択部２３は、手動選択モードが指定されている場合には、前記同様に、操作部２４の操作に応じて信号の選択処理を行う。
【００６０】
また、周波数選択モードが指定されている場合には、周波数測定部５０からの周波数ｆａ、ｆｂを比較し、周波数が低い方の観測対象信号を優先的に選択する。なお、ここで周波数が低い方を選択しているのは、最も周波数が低いデータ信号の繰り返し波形を表示させるためであり、また、データ信号とそのクロック信号の波形を観測する場合等も、高速なクロックにトリガがかかってデータ信号の繰り返し波形を表示できない不便さを解消するためである。
【００６１】
また、誤り率選択モードが指定されている場合には、誤り率測定部６０からの誤り率Ｅａ、Ｅｂを比較して、誤り率が低い方の観測対象信号を優先的に選択する。これは品質がより高い信号によって生成したトリガ信号を用いることで、安定な波形観測を行えるようにするための機能である。図示していないが測定された誤り率Ｅａ、Ｅｂは、表示処理部４０によって表示器４５に表示される。
【００６２】
なお、上記のように装置側でトリガ信号発生部３０に与える入力信号を自動的に選択する場合には、その選択している信号入力端子が識別できるように例えば表示器４５の画面上に表示を行う。
【００６３】
このように、入力信号の周波数や誤り率を比較して観測に有利な方を装置が選択してトリガ信号発生部３０に入力させるようにしたものでは、常にトリガ発生に適切と判断した信号が選択されるので、測定中に入力信号の品質が変化した場合でも、それに追従して安定な波形表示が行えるので、観測者は混乱することなく、波形観測できる。
【００６４】
なお、ここでは周波数選択モードと誤り率選択モードを排他的に用いる場合を説明したが、これらを併用することも可能である。即ち、入力信号のうち、周波数（ビットレート）を比較して同程度の低いものが複数あった場合に、誤り率を比較して誤り率が低い方を選択する処理も可能である。
【００６５】
上記第２の実施形態は、前記した本発明の波形観測方法において、複数の信号入力端子２１Ａ、２１Ｂから入力された観測対象信号Ｓｘａ、Ｓｘｂの周波数を測定する段階を含み、観測対象信号Ｓｘａ、Ｓｘｂのうち周波数が低いものを優先的に選択することを特徴とし、また、複数の信号入力端子から入力された観測対象信号Ｓｘａ、Ｓｘｂの誤り率を測定する段階を含み、その観測対象信号Ｓｘａ、Ｓｘｂのうち誤り率が低いものを優先的に選択することを特徴とする波形観測方法を実施している。
【００６６】
また、前記したように、上記実施形態では信号入力端子が２系統のものについて説明したが、より多くの信号入力端子、サンプリング部を有する波形観測装置においても本発明を適用できる。
【符号の説明】
【００６７】
２０……波形観測装置、２１Ａ、２１Ｂ……信号入力端子、２２Ａ、２２Ｂ……サンプリング部、２３……信号選択部、２４……操作部、３０……トリガ信号発生部、３５……サンプリング信号発生部、４０……表示処理部、４５……表示器、５０……周波数測定部、６０……誤り率測定部
【図１】
2011112526.tif 000003
【図２】
2011112526.tif 000004
【図３】
2011112526.tif 000005
【図４】
2011112526.tif 000006
【図５】
2011112526.tif 000007